(57)【要約】【課題】  通風孔から進入した静電気エネルギーが、筐体の内側の回路部品を放電破壊することを防ぐ。【解決手段】  筐体の内側には電子回路部品６がある。通風孔３を有する筐体１の内側、筐体１と電子回路部品６との間に、通風孔３を塞がない程度の径をもつ導体、例えば金属棒２を取付ける。この金属棒２の一方をグラウンドに結線し、筐体１の通風孔３から進入する静電気エネルギーを、金属棒２でつかまえて接地手段によりグラウンドに逃がす。【選択図】      図３
2009181915.tif 000002
【特許請求の範囲】
【請求項１】
通風孔を有する筐体と、
前記筐体の内側に設けられた電子回路部品と、
前記筐体と前記電子回路部品との間に、前記通風孔を完全に塞ぐことがない径の導電体と、
前記導電体をグラウンドに接地する接地手段を備えたことを特徴とする電子機器。
【請求項２】
前記通風孔は、前記筐体の側面に、複数垂直に設けられていることを特徴とする請求項１項記載の電子機器。
【請求項３】
前記導電体は、前記通風孔とは平行でない配置にて構成されることを特徴とする請求項１乃至２のいずれか１項記載の電子機器。
【発明の詳細な説明】
【技術分野】
【０００１】
この発明は、電子機器に関し、特に筐体に通風孔を有する電子機器に関する。
【背景技術】
【０００２】
従来、通信装置としてバックワイヤリングボードのグランドパターンにより背面側の電磁シールドを実現するものが知られている（例えば、特許文献１参照）。
また、プラズマディスプレイの放熱構造として、吸気孔の内側に取り付けた金属網を備えたプラズマディスプレイが知られている（例えば、特許文献２参照）。
【特許文献１】特開２００３−３３２７７７号公報
【特許文献２】特開平１０−２３３９７９号公報
【発明の開示】
【発明が解決しようとする課題】
【０００３】
しかし、従来の電子機器においては、筐体の通風孔から進入した静電気エネルギーが直接筐体の内側の回路部品に放電し、破壊させるという問題があった。
この発明は、筐体の通風孔の内側に、通風孔を塞がない程度の径をもつ導電体である金属棒を取付けてこの金属棒の一方を筐体グラウンドに結線し、筐体の通風孔から進入する静電気エネルギーは金属棒を介してグラウンドに流れるようにしたので、通風孔から進入した静電気エネルギーが筐体の内側の回路部品を放電破壊することを防ぐことを目的とする。
【課題を解決するための手段】
【０００４】
上記の目的を達成するために、この発明においては、通風孔を有する筐体と、前記筐体の内側に設けられた電子回路部品と、前記筐体と前記電子回路部品との間に、前記通風孔を完全に塞ぐことがない径の導電体と、前記導電体をグラウンドに接地する接地手段を備えたことを特徴とする電子機器を備えたことを特徴とする電子機器を提供する。
【０００５】
なお、装置に係る本発明は方法に係る発明としても成立し、方法に係る本発明は装置に係る発明としても成立する。
【発明の効果】
【０００６】
この発明によれば、筐体の通風孔の内側に、通風孔を塞がない程度の径をもつ導体、例えば金属棒を取付けてこの金属棒の一方を筐体グラウンドに結線し、筐体の通風孔から進入する静電気エネルギーは金属棒を介して筐体グラウンドに流れるようにしたので、通風孔から進入した静電気エネルギーが筐体の内側の回路部品を放電破壊することを防ぐことができる。
【発明を実施するための最良の形態】
【０００７】
以下、図面を参照しながら本発明の実施形態について説明する。
図１は、この発明を適用した電子機器の外観を示す図である。この図１は、筐体（キャビネット）１の背面から見た斜視図であり、筐体１の背面には複数の縦長の形状をした通風孔３が設けられている。この通風孔３は、電子機器の筐体１内部の熱を外部へ逃がすための孔であり、縦長の孔が３段設けられている。
【０００８】
また、筐体１の背面下部にはグラウンド端子７が設けられており、グラウンド端子７は電子機器外部のアースに電気的に接続されている。
図２は、この電子機器の筐体背面に設けられた通風孔を、筐体１の内部から観た図を示す図である。通風孔３の内側には、耐熱性のポリスチレン（ＰＳ）やＡＢＳ等の樹脂で形成された金属棒固定部４によって金属棒２が筐体１と間隔を空け、筐体１に固定されている。
【０００９】
金属棒２は、筐体１の背面に設けられた縦長の形状をした通風孔３とは垂直に配設されているので、通風孔を塞ぐことはなく、キャビネットの放熱性能を悪化させることが無い。
【００１０】
なお、この金属棒２は棒に限らず、導電性ケーブルであってもよい。
また、金属棒２は通風孔３と、必ずしも垂直に配設する必要はなく、平行でなければ良い。
図３は、電子機器を図１の波線部で垂直に切断したときの断面図である。
筐体１内には基板５が設けられており、基板５上には電子回路部品６が設けられている。
また、筐体１の内面には金属板が貼られており、この金属板上にグラウンド端子７が設けられており、このグラウンド端子７には金属棒２が配線８によって電気的に接続されている。グラウンド端子７は筐体１の内部から筐体１外部へと貫通して構成されており、筐体１の内部から筐体１外部へ電気を通すことができるよう構成されている。
【００１１】
筐体１の外部に突出したグラウンド端子７は、電子機器外部のアースに電気的に接続されている。例えば壁に設置されてあるアース端子に接続する等してあっても良い。
【００１２】
しかし、筐体１に設けられたグラウンド端子７は、必ずしも電子機器外部のアースに電気的に接続する必要はない。グラウンドとして電子機器内部を使う場合には、静電エネルギーを直接回路グラウンドに流すと回路が破壊する恐れがあるため、例えば筐体グラウンドに流し、最終的に電源コードから外部に逃げていくよう構成されていても良い。
【００１３】
筐体１内の下部（中部）に設けられた通風孔３から流入した空気は、熱発生源である基板５上の電子回路部品６を通過することにより電子回路部品６の熱を奪い、筐体１内の上部（中部）に設けられた通風孔３から流出するように構成されている。
【００１４】
このような構成によれば、筐体１（キャビネット）の通風孔から進入する静電気エネルギーは金属棒２を介してグラウンドに流れる。このため通風孔から進入した静電気エネルギーが筐体１（キャビネット）の内側の電子回路部品６を放電破壊することを防ぐことができる。
【００１５】
以上説明したとおり、本発明によれば、筐体１（キャビネット）の通風孔から進入する静電気エネルギーは金属棒２を介してグラウンドに流れる。このため通風孔から進入した静電気エネルギーが筐体１（キャビネット）の内側の電子回路部品６を放電破壊することを防ぐことができる。
【００１６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、第１の実施形態と第２の実施形態とを組み合わせ、所望の番組属性として、ジャンル、チャンネルを組みとしたものとしてもよい。
【図面の簡単な説明】
【００１７】
【図１】電子機器の外観を示す図。
【図２】電子機器の筐体背面に設けられた通風孔を、筐体１の内部から観た図。
【図３】電子機器を図１の波線部で縦に切断したときの断面図。
【符号の説明】
【００１８】
１…筐体背面板、２…金属棒、３…通風孔、４…金属棒固定部、５…基板、６…電子回路部品、７…グラウンド端子、８…配線。
【図１】
2009181915.tif 000003
【図２】
2009181915.tif 000004
【図３】
2009181915.tif 000005